(57)【特許請求の範囲】
【請求項１】
金属顔料を含む第１トナーと、金属顔料を含まない第２トナーと、が付着される付着体と、
印加される電圧に応じた静電力によって、前記付着体の前記第１トナー及び前記第２トナーを除去する除去部材と、
第１電圧と、該第１電圧よりも絶対値が高い第２電圧と、を前記除去部材に印加可能な印加部と、
転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体と、
を備え、
該転写画像が転写された記録媒体の枚数が予め定められた枚数以上となった場合において、前記付着体から除去する除去対象が前記第１トナーである場合に前記印加部が前記除去部材に第１電圧を印加し、前記付着体から除去する除去対象が前記第２トナーである場合に前記印加部が前記除去部材に第２電圧を印加するモードを有する
画像形成装置。
【請求項２】
金属顔料を含む第１トナーと、金属顔料を含まない第２トナーと、が付着される付着体と、
印加される電圧に応じた静電力によって、前記付着体の前記第１トナー及び前記第２トナーを除去する除去部材と、
第１電圧と、該第１電圧よりも絶対値が高い第２電圧と、を前記除去部材に印加可能な印加部と、
転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体と、
を備え、
前記付着体から除去する除去対象が前記第１トナーである場合に前記印加部が前記除去部材に第１電圧を印加し、前記付着体から除去する除去対象が前記第２トナーである場合に前記印加部が前記除去部材に第２電圧を印加するモードを有し、
該モードでは、
前記第１トナーの明度よりも低い明度を有する面が前記付着体側に向けられた状態の前記記録媒体が前記付着体と前記転写体との間に導入される際に、前記付着体から除去する除去対象が前記第１トナーである場合として、前記印加部が前記除去部材に第１電圧を印加する
画像形成装置。
【請求項３】
金属顔料を含む第１トナーと、金属顔料を含まない第２トナーと、が付着される付着体と、
印加される電圧に応じた静電力によって、前記付着体の前記第１トナー及び前記第２トナーを除去する除去部材と、
第１電圧と、該第１電圧よりも絶対値が高い第２電圧と、を前記除去部材に印加可能な印加部と、
転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体と、
を備え、
前記付着体から除去する除去対象が前記第１トナーである場合に前記印加部が前記除去部材に第１電圧を印加し、前記付着体から除去する除去対象が前記第２トナーである場合に前記印加部が前記除去部材に第２電圧を印加するモードを有し、
該モードでは、
前記第１トナーの明度以上の明度を有する面が前記付着体側に向けられた状態の前記記録媒体が前記付着体と前記転写体との間に導入される際に、前記付着体から除去する除去対象が前記第２トナーである場合として、前記印加部が前記除去部材に第２電圧を印加する
画像形成装置。
【請求項４】
金属顔料を含む第１トナーと、金属顔料を含まない第２トナーと、が付着される付着体と、
印加される電圧に応じた静電力によって、前記付着体の前記第１トナー及び前記第２トナーを除去する除去部材と、
第１電圧と、該第１電圧よりも絶対値が高い第２電圧と、を前記除去部材に印加可能な印加部と、
転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体と、
を備え、
前記付着体から除去する除去対象が前記第１トナーである場合に前記印加部が前記除去部材に第１電圧を印加し、前記付着体から除去する除去対象が前記第２トナーである場合に前記印加部が前記除去部材に第２電圧を印加するモードを有し、
該モードでは、
前記第１トナーの明度よりも低い明度を有する画像が形成された面が前記付着体側に向けられた状態の前記記録媒体が前記付着体と前記転写体との間に導入される際に、前記付着体から除去する除去対象が前記第１トナーである場合として、前記印加部が前記除去部材に第１電圧を印加するモードを有する
画像形成装置。
【請求項５】
金属顔料を含む第１トナーと、金属顔料を含まない第２トナーと、が付着される付着体と、
印加される電圧に応じた静電力によって、前記付着体の前記第１トナー及び前記第２トナーを除去する除去部材と、
第１電圧と、該第１電圧よりも絶対値が高い第２電圧と、を前記除去部材に印加可能な印加部と、
転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体と、
を備え、
前記付着体から除去する除去対象が前記第１トナーである場合に前記印加部が前記除去部材に第１電圧を印加し、前記付着体から除去する除去対象が前記第２トナーである場合に前記印加部が前記除去部材に第２電圧を印加するモードを有し、
該モードでは、
前記第１トナーの明度以上の明度を有する画像が形成された面が前記付着体側に向けられた状態の前記記録媒体が前記付着体と前記転写体との間に導入される際に、前記付着体から除去する除去対象が前記第２トナーである場合として、前記印加部が前記除去部材に第２電圧を印加するモードを有する
画像形成装置。
【請求項６】
前記転写画像が転写された記録媒体の枚数が予め定められた枚数以上となった場合において、前記モードを実行する請求項２〜５のいずれか１項に記載の画像形成装置。
【発明の詳細な説明】
【技術分野】
【０００１】
本発明は、画像形成装置に関する。
【背景技術】
【０００２】
特許文献１には、感光体ドラムと、感光体ドラムの表面のトナー像を転写材に転写する転写ローラと、感光体ドラムの表面に画像制御用パッチが形成された場合に画像制御用パッチの濃度を検出するパッチセンサと、転写ローラを静電的にクリーニングするファーブラシと、感光体ドラムの表面から転写された転写ローラの表面の画像制御用パッチがファーブラシを通過するときに、パッチセンサが検出した画像制御用パッチの濃度に基づいて転写ローラ及びファーブラシの間に印加される清掃電流を変化させるコントローラと、を備える画像形成装置が開示されている。
【先行技術文献】
【特許文献】
【０００３】
【特許文献１】２０１２−８３４７９号公報
【発明の概要】
【発明が解決しようとする課題】
【０００４】
金属顔料を含むトナー（以下、金属トナーという）を用いて画像を形成する構成においては、金属トナーが、転写ロールや転写ベルト等の付着体に付着した際に、除去部材への電圧印加による静電力で金属トナーを除去部材に吸着させて金属トナーを除去する構成が考えられる。
【０００５】
金属トナーは、導電性を有するため、除去部材に高電圧を印加すると、電荷注入が生じて極性が変わりやすい。金属トナーの極性が変わった場合では、静電力が反発力として金属トナーに作用して、金属トナーが除去部材に吸着できない場合がある。すなわち、金属トナーでは、除去部材に低電圧を印加した場合に、付着体から除去される除去性が向上する傾向にある。
【０００６】
一方、金属顔料を含まないトナーは、除去部材に高電圧を印加しても、電荷注入が生じにくく、除去部材に高電圧を印加した場合に除去性が向上する傾向にある。このように、金属トナーを除去するのに適した電圧値と、金属顔料を含まないトナーを除去するのに適した電圧値とが、異なる場合がある。
【０００７】
本発明は、除去対象のトナーが金属顔料を含むか含まないかによって、除去部材に印加する電圧を変えることができるようにすることを目的とする。
【課題を解決するための手段】
【０００８】
請求項１の発明は、金属顔料を含む第１トナーと、金属顔料を含まない第２トナーと、が付着される付着体と、印加される電圧に応じた静電力によって、前記付着体の前記第１トナー及び前記第２トナーを除去する除去部材と、第１電圧と、該第１電圧よりも絶対値が高い第２電圧と、を前記除去部材に印加可能な印加部と、を備える。
【０００９】
請求項１の発明は、転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体を備え、該転写画像が転写された記録媒体の枚数が予め定められた枚数以上となった場合において、前記付着体から除去する除去対象が前記第１トナーである場合に前記印加部が前記除去部材に第１電圧を印加し、前記付着体から除去する除去対象が前記第２トナーである場合に前記印加部が前記除去部材に第２電圧を印加するモードを有する。
【００１０】
請求項２の発明は、転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体を備え、前記第１トナーの明度よりも低い明度を有する面が前記付着体側に向けられた状態の前記記録媒体が前記付着体と前記転写体との間に導入される際に、前記印加部が前記除去部材に第１電圧を印加するモードを有する。
【００１１】
請求項３の発明は、転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体を備え、前記第１トナーの明度以上の明度を有する面が前記付着体側に向けられた状態の前記記録媒体が前記付着体と前記転写体との間に導入される際に、前記印加部が前記除去部材に第２電圧を印加するモードを有する。
【００１２】
請求項４の発明は、転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体を備え、前記第１トナーの明度よりも低い明度を有する画像が形成された面が前記付着体側に向けられた状態の前記記録媒体が前記付着体と前記転写体との間に導入される際に、前記印加部が前記除去部材に第１電圧を印加するモードを有する。
【００１３】
請求項５の発明は、転写画像と、前記第１トナー及び前記第２トナーで形成された非転写画像と、が転写される転写体であって、前記付着体との間に導入された記録媒体に該転写画像を転写すると共に、前記非転写画像の第１トナー及び第２トナーを前記付着体に付着させる前記転写体を備え、前記第１トナーの明度以上の明度を有する画像が形成された面が前記付着体側に向けられた状態の前記記録媒体が前記付着体と前記転写体との間に導入される際に、前記印加部が前記除去部材に第２電圧を印加するモードを有する。
【００１４】
請求項６の発明では、前記転写画像が転写された記録媒体の枚数が予め定められた枚数以上となった場合において、前記モードを実行する。
【発明の効果】
【００１５】
本発明の請求項１の構成によれば、除去対象のトナーが金属顔料を含むか含まないかによって、除去部材に印加する電圧を変えることができる。
【００１６】
本発明の請求項１の構成によれば、除去対象のトナーが金属顔料を含むか含まないかに関わらず単一の電圧を除去部材に印加する構成に比べ、転写画像が転写された記録媒体の枚数が予め定められた枚数以上となって除去部材又は付着体の抵抗が上昇した場合でも、第１トナーと第２トナーとを効率よく除去できる。
【００１７】
本発明の請求項２の構成によれば、記録媒体の明度に関わらず第２電圧を除去部材に印加する構成に比べ、記録媒体における第１トナーの明度よりも低い明度を有する面に、第１トナーが転移することを抑制できる。
【００１８】
本発明の請求項３の構成によれば、記録媒体の明度に関わらず第１電圧を除去部材に印加する構成に比べ、記録媒体における第１トナーの明度以上の明度を有する面に、第２トナーが転移することを抑制できる。
【００１９】
本発明の請求項４の構成によれば、記録媒体の画像の明度に関わらず第２電圧を除去部材に印加する構成に比べ、記録媒体における第１トナーの明度よりも低い明度を有する面に、第１トナーが転移することを抑制できる。
【００２０】
本発明の請求項５の構成によれば、記録媒体の画像の明度に関わらず第１電圧を除去部材に印加する構成に比べ、記録媒体における第１トナーの明度以上の明度を有する画像に、第２トナーが転移することを抑制できる。
【００２１】
本発明の請求項６の構成によれば、転写画像が転写された記録媒体の枚数以外の条件で本構成におけるモードを実行する場合に比べ、転写画像が転写された記録媒体の枚数が予め定められた枚数以上となって除去部材又は付着体の抵抗が上昇した場合に、付着体からトナーを効率よく除去できる。
【図面の簡単な説明】
【００２２】
【図１】本実施形態に係る画像形成装置を正面側から見た構成を示す概略図である。
【図２】本実施形態に係るトナー画像形成部を示す概略図である。
【図３】本実施形態に係る転写装置を示す概略図である。
【図４】転写ベルト上の非転写画像と転写画像とを示す図である。
【図５】使用開始時における第１清掃ブラシ及び第２清掃ブラシに印加する電圧の絶対値と、二次転写ベルトに残留するトナーの残留量と、の関係を示すグラフである。
【図６】使用経過後の第１清掃ブラシ及び第２清掃ブラシに印加する電圧の絶対値と、二次転写ベルトに残留するトナーの残留量と、の関係を示すグラフである。
【図７】清掃ブラシで生じるトナーへの電荷注入を示す図である。
【図８】記録媒体としての白色の用紙が二次転写位置に導入される状態を示す図である。
【図９】記録媒体として、転写ベルト側が黒色とされ、二次転写ベルト側が白色とされた用紙が二次転写位置に導入される状態を示す図である。
【図１０】記録媒体としての黒色の用紙が二次転写位置に導入される状態を示す図である。
【図１１】記録媒体として、転写ベルト側が白色とされ、二次転写ベルト側が黒色とされた用紙が二次転写位置に導入される状態を示す図である。
【発明を実施するための形態】
【００２３】
以下に、本発明に係る実施形態の一例を図面に基づき説明する。なお、各図に示す矢印Ｈは鉛直方向を示し、矢印Ｗは水平方向であって装置幅方向を示す。
【００２４】
＜画像形成装置１０の構成＞
図１は、画像形成装置１０を正面側から見た構成を示す概略図である。この図に示されるように、画像形成装置１０は、電子写真方式により用紙等の記録媒体Ｐに画像を形成する画像形成部１２と、記録媒体Ｐを搬送する搬送装置５０と、画像形成装置１０の各部の動作を制御する制御部７０と、を有している。
【００２５】
（搬送装置５０）
図１に示されるように、搬送装置５０は、記録媒体Ｐが収容される収容器５１と、収容器５１から二次転写位置ＮＴへ記録媒体Ｐを搬送する複数の搬送ロール５２と、を有している。さらに、搬送装置５０は、二次転写位置ＮＴから定着装置４０へ記録媒体Ｐを搬送する複数の搬送ベルト５８と、定着装置４０から記録媒体Ｐの排出部（図示省略）へ向けて記録媒体Ｐを搬送する搬送ベルト５４及び搬送ロール５６と、を有している。
【００２６】
さらに、搬送装置５０は、定着装置４０で片面にトナー画像が定着された記録媒体Ｐを反転させて、再び二次転写位置ＮＴへ送り戻すための搬送路５９と、搬送路５９に沿って配置された複数の搬送ロール５７と、を有している。搬送装置５０では、記録媒体Ｐの両面に画像を形成する際に、片面にトナー画像が定着された記録媒体Ｐが、搬送ロール５６によってスイッチバックされて搬送路５９に導かれ、搬送ロール５７によって二次転写位置ＮＴへ送り戻されるようになっている。
【００２７】
（画像形成部１２）
画像形成部１２は、トナー画像を形成するトナー画像形成部２０と、トナー画像形成部２０で形成されたトナー画像を記録媒体Ｐに転写する転写装置３０と、記録媒体Ｐに転写されたトナー画像を加熱及び加圧して記録媒体Ｐに定着する定着装置４０と、を有している。
【００２８】
トナー画像形成部２０は、色ごとにトナー画像を形成するように複数備えられている。この実施形態では、第１特別色（Ｖ）、第２特別色（Ｗ）、イエロー（Ｙ）、マゼンタ（Ｍ）、シアン（Ｃ）、ブラック（Ｋ）の計６色のトナー画像形成部２０が設けられている。
【００２９】
画像形成部１２では、イエロー（Ｙ）、マゼンタ（Ｍ）、シアン（Ｃ）、ブラック（Ｋ）のトナー画像形成部２０が標準装備されており、イエロー（Ｙ）、マゼンタ（Ｍ）、シアン（Ｃ）、ブラック（Ｋ）が標準色となっている。一方、第１特別色（Ｖ）、第２特別色（Ｗ）のトナー画像形成部２０は、例えば、オプションとして、追加装備が可能なトナー画像形成部２０として構成されている。
【００３０】
図１に示す（Ｖ）、（Ｗ）、（Ｙ）、（Ｍ）、（Ｃ）、（Ｋ）は、上記各色に対応する構成部分を示している。なお、本明細書の説明では、（Ｖ）、（Ｗ）、（Ｙ）、（Ｍ）、（Ｃ）、（Ｋ）の括弧を省略して、Ｖ、Ｗ、Ｙ、Ｍ、Ｃ、Ｋと記載する場合がある。第１特別色（Ｖ）及び第２特別色（Ｗ）には、例えば、銀色や金色等の色が用いられる。また、トナー画像形成部２０Ｖ及びトナー画像形成部２０Ｗの少なくとも一方を使用しなくてもよい。
【００３１】
本実施形態では、第２特別色（Ｗ）として、金属顔料を含むトナーによる銀色を用いると共に、第１特別色（Ｖ）のトナー画像形成部２０を使用しない例について説明する。なお、金属顔料を含むトナーにおいては、金属顔料以外の顔料を含んでいてもよい。
【００３２】
〔トナー画像形成部２０〕
各色のトナー画像形成部２０は、用いるトナーを除き基本的に同様に構成されている。具体的には、各色のトナー画像形成部２０は、図２に示されるように、図２における時計周り方向に回転する感光体ドラム２１と、感光体ドラム２１を帯電させる帯電器２２と、を有している。さらに、各色のトナー画像形成部２０は、帯電器２２によって帯電された感光体ドラム２１を露光して感光体ドラム２１に静電潜像を形成する露光装置２３と、露光装置２３によって感光体ドラム２１に形成された静電潜像を現像してトナー画像を形成する現像装置２４と、を有している。
【００３３】
帯電器２２は、例えば、感光体ドラム２１の表面（感光層）を負極性に帯電させる。負極性に帯電した感光体ドラム２１の表面は、露光装置２３によって露光光Ｌが照射された部分が正極性を呈し、感光体ドラム２１の表面に静電潜像が形成される。そして、現像装置２４内で負極性に摩擦帯電されたトナーが、正極性を呈する静電潜像に付着して静電潜像が現像される。
【００３４】
〔転写装置３０〕
転写装置３０は、各色の感光体ドラム２１のトナー画像を、転写ベルト３１（中間転写体）に重畳して一次転写し、該重畳されたトナー画像を二次転写位置ＮＴで記録媒体Ｐに二次転写するようになっている。具体的には、転写装置３０は、図１に示されるように、転写体の一例としての転写ベルト３１と、一次転写ロール３３と、付着体の一例としての二次転写ベルト３６と、二次転写ベルト３６の清掃装置６０と、転写ベルト３１の清掃装置３５と、を備えている。
【００３５】
［転写ベルト３１］
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。転写ベルト３１は、矢印Ａ方向に周回することで、一次転写された画像を二次転写位置ＮＴへ搬送するようになっている。
【００３６】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロール３２Ｂとして機能する。対向ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００３７】
［一次転写ロール３３］
一次転写ロール３３は、各感光体ドラム２１のトナー画像を転写ベルト３１に転写させるロールであり、図１に示されるように、転写ベルト３１の内側に配置されている。各一次転写ロール３３は、転写ベルト３１を挟んで対応する色の感光体ドラム２１に対して対向配置されている。また、一次転写ロール３３には、給電部（図示省略）によって、トナー極性とは逆極性の一次転写電圧が印加されるようになっている。この一次転写電圧の印加により、感光体ドラム２１に形成されたトナー画像が、一次転写位置Ｔで転写ベルト３１に転写される。
【００３８】
［二次転写ベルト３６］
二次転写ベルト３６は、転写ベルト３１に重畳されたトナー画像を記録媒体Ｐに転写するベルトである。二次転写ベルト３６は、図３に示されるように、無端状をなし、二次転写ロール３４と、従動ロール３７と、に巻き掛けられている。
【００３９】
二次転写ロール３４は、対向ロール３２Ｂとの間に転写ベルト３１及び二次転写ベルト３６を挟むように配置されており、二次転写ベルト３６と転写ベルト３１とは予め定められた荷重にて接触している。このように接触している二次転写ベルト３６と転写ベルト３１の間が二次転写位置ＮＴとされる。この二次転写位置ＮＴには、収容器５１から適時に記録媒体Ｐが供給されるようになっている。二次転写ベルト３６は、二次転写ロール３４が回転駆動されることで、矢印Ｂ方向へ周回移動される。
【００４０】
本実施形態では、転写ベルト３１のトナー画像を記録媒体Ｐに転写する際には、印加部としての給電部３９によって、対向ロール３２Ｂに負極性の電圧が印加される。これにより、対向ロール３２Ｂと二次転写ロール３４との間に電位差が生じる。すなわち、対向ロール３２Ｂに負極性の電圧が印加されることで、対向ロール３２Ｂの対向電極をなす二次転写ロール３４にトナー極性と逆極性の二次転写電圧（正極性の電圧）が間接的に印加される。これにより、二次転写位置ＮＴを通過する記録媒体Ｐに、転写ベルト３１からトナー画像が転写される。
【００４１】
一方、転写ベルト３１のトナーが二次転写位置ＮＴを通過する際に当該トナーを転写ベルト３１に保持させる場合には、印加部としての給電部３９によって、対向ロール３２Ｂに正極性の電圧が印加される。これにより、対向ロール３２Ｂと二次転写ロール３４との間に電位差が生じる。すなわち、対向ロール３２Ｂに正極性の電圧が印加されることで、対向ロール３２Ｂの対向電極をなす二次転写ロール３４にトナー極性と同極性の非転写電圧（負極性の電圧）が間接的に印加される。これにより、二次転写位置ＮＴを通過するトナーは、二次転写ロール３４から反発力を受けて、転写ベルト３１に保持される。
【００４２】
［二次転写ベルト３６の清掃装置６０］
清掃装置６０は、図３に示されるように、印加される清掃電圧に応じた静電力によって、二次転写ベルト３６のトナー（後述の銀色トナー及び他色トナー）を吸着して除去する除去部材の一例として、第１清掃ブラシ６１及び第２清掃ブラシ６２を有している。第１清掃ブラシ６１及び第２清掃ブラシ６２は、軸部６１Ａ、６２Ａと、軸部６１Ａ、６２Ａの外周にその全周にわたって設けられたブラシ部６１Ｂ、６２Ｂと、を有している。第１清掃ブラシ６１及び第２清掃ブラシ６２は、軸部６１Ａ、６２Ａが回転駆動されることで、回転するようになっている。第１清掃ブラシ６１及び第２清掃ブラシ６２は、一例として、二次転写ベルト３６の周回方向と同じ方向（図３における時計方向）に回転するようになっている。なお、第１清掃ブラシ６１及び第２清掃ブラシ６２は、二次転写ベルト３６の周回方向と逆方向（図３における反時計方向）に回転する構成であってもよい。また、第１清掃ブラシ６１及び第２清掃ブラシ６２が二次転写ベルト３６の周回方向と逆方向に回転する場合には、例えば、二次転写ベルト３６の周速度に対して周速度差を有して回転するように構成される。
【００４３】
また、清掃装置６０は、第１清掃ブラシ６１のブラシ部６１Ｂに接触する第１金属ローラ６３と、第２清掃ブラシ６２のブラシ部６２Ｂに接触する第２金属ローラ６４と、を有している。
【００４４】
さらに、清掃装置６０は、第１金属ローラ６３に正極性の清掃電圧（クリーニング電圧）を印加する第１給電部６５（印加部の一例）と、第２金属ローラ６４に負極性の清掃電圧（クリーニング電圧）を印加する第２給電部６６（印加部の一例）と、を有している。
【００４５】
第１給電部６５が、第１金属ローラ６３に、正極性の清掃電圧を印加することで、二次転写ロール３４と第１清掃ブラシ６１と第１金属ローラ６３とに直流に清掃電流（クリーニング電流）が流れる。これにより、二次転写ロール３４に対して第１清掃ブラシ６１が正極性となり、第１清掃ブラシ６１に対して第１金属ローラ６３が正極性となる。
【００４６】
この構成により、二次転写ベルト３６上のトナーのうち、負極性に帯電したトナーが静電的に第１清掃ブラシ６１に吸着されて移動した後、第１金属ローラ６３に移動し、二次転写ベルト３６から除去される。
【００４７】
また、第２給電部６６が、第２金属ローラ６４に、負極性の清掃電圧を印加することで、二次転写ロール３４と第２清掃ブラシ６２と第２金属ローラ６４とに直流に清掃電流（クリーニング電流）が流れる。これにより、二次転写ロール３４に対して第２清掃ブラシ６２が負極性となり、第２清掃ブラシ６２に対して第２金属ローラ６４が負極性となる。
【００４８】
これにより、二次転写ベルト３６上のトナーのうち、正極性に帯電したトナーが静電的に第２清掃ブラシ６２に吸着されて移動した後、第２金属ローラ６４に移動し、二次転写ベルト３６から除去される。
【００４９】
なお、第１金属ローラ６３及び第２金属ローラ６４に移動したトナーは、ブレード等の除去部材（図示省略）により、第１金属ローラ６３及び第２金属ローラ６４から除去される。第１金属ローラ６３及び第２金属ローラ６４から除去されたトナーは、収容容器（図示省略）に収容（回収）される。
【００５０】
［転写ベルト３１の清掃装置３５］
清掃装置３５は、図１に示されるように、転写ベルト３１の周回方向において、二次転写位置ＮＴの下流側で、かつ一次転写位置Ｔ（Ｙ）の上流側に配置されている。清掃装置３５は、転写ベルト３１の表面に残留したトナーを転写ベルト３１の表面から掻き取るブレード３５１を備えている。
【００５１】
＜要部構成＞
本実施形態では、トナー画像形成部２０Ｗは、第２特別色（Ｗ）としての銀色のトナーを用いてトナー画像を形成する構成とされている（図１参照）。トナー画像形成部２０Ｗで用いられる銀色トナー（第１トナーの一例）は、金属顔料とバインダー樹脂とを含んで構成されている。金属顔料としては、例えば、アルミニウム等の金属が用いられる。トナー画像形成部２０Ｗが形成するトナー画像としては、記録媒体Ｐに転写される転写画像と、記録媒体Ｐに転写されない非転写画像と、がある。
【００５２】
非転写画像としては、転写ベルト３１上のトナー画像のトナー濃度を検出するための濃度検出用画像（パッチ）や、転写ベルト３１上のトナー画像における各色間の位置ずれを検出するための色ずれ検出用画像（パッチ）や、劣化した現像剤（トナー）を消費するための画像（バンド）等がある。なお、濃度検出用画像（パッチ）や、色ずれ検出用画像（パッチ）を検出するための検出部（センサ）４９が、トナー画像形成部２０Ｋの下流側（図１における左側）に配置されている。
【００５３】
以下、説明の便宜上、当該転写画像を「銀色画像」と称し、当該非転写画像を「銀色パッチ」と称する。なお、本実施形態では、前述のとおり、第１特別色（Ｖ）のトナー画像形成部２０Ｖは、稼働されないものとする。
【００５４】
一方、トナー画像形成部２０Ｙ、２０Ｍ、２０Ｃ、２０Ｋ（以下、２０Ｙ〜２０Ｋと示す）で用いられるイエロー（Ｙ）、マゼンタ（Ｍ）、シアン（Ｃ）、及びブラック（Ｋ）のトナー（第２トナーの一例）は、金属顔料を含まず、金属顔料以外の顔料とバインダー樹脂とを含んで構成されている。
【００５５】
なお、本明細書では、説明の便宜上、イエロー（Ｙ）、マゼンタ（Ｍ）、シアン（Ｃ）、及びブラック（Ｋ）を「他色」と称し、他色のトナーを「他色トナー」と称する。図中において、イエロー（Ｙ）、マゼンタ（Ｍ）、シアン（Ｃ）、及びブラック（Ｋ）を区別する場合は、（Ｙ）、（Ｍ）、（Ｃ）、（Ｋ）の符号を付す。
【００５６】
前述のように、他色トナーが金属顔料を用いていないのに対して、銀色トナーは金属顔料を用いているため、銀色トナーの導電性は他色トナーの導電性よりも高くなっている。このため、銀色トナーは、他色トナーに比べ、電荷が注入されやすい性質を有している。また、銀色トナーは、粒径が他色トナーよりも大きくなっている。
【００５７】
トナー画像形成部２０Ｙ〜２０Ｋが形成するトナー画像としては、トナー画像形成部２０Ｗの場合と同様に、記録媒体Ｐの転写するための転写画像と、記録媒体Ｐに転写されない非転写画像と、がある。非転写画像としては、銀色パッチと同様に、濃度検出用画像（パッチ）や、色ずれ検出用画像（パッチ）、劣化した現像剤（トナー）を消費するための画像（バンド）等がある。以下、説明の便宜上、トナー画像形成部２０Ｙ〜２０Ｋが形成する非転写画像を「他色パッチ」と称し、トナー画像形成部２０Ｙ〜２０Ｋが形成する転写画像を「他色画像」と称する。
【００５８】
なお、図４に示されるように、各トナー画像形成部２０の銀色画像３１０及び他色画像３２０が、各一次転写ロール３３によって、転写ベルト３１上の転写領域Ｒ１に転写される。転写ベルト３１に転写された銀色画像３１０及び他色画像３２０は、記録媒体Ｐと共に二次転写位置ＮＴを通過して当該記録媒体Ｐに転写される。
【００５９】
一方、各トナー画像形成部２０の銀色パッチ４１０及び他色パッチ４２０は、各一次転写ロール３３によって、転写領域Ｒ１の間の非転写領域Ｒ２に転写される。転写ベルト３１上に転写された銀色パッチ４１０及び他色パッチ４２０は、記録媒体Ｐと共に二次転写位置ＮＴを通過せずに、単独で二次転写位置ＮＴを通過する。なお、銀色パッチ４１０及び他色パッチ４２０は、非転写領域Ｒ２の任意の位置に形成される。すなわち、銀色パッチ４１０と他色パッチ４２０とは、図４に示されるように、搬送方向にずれて配置されていてもよいし、搬送方向に重なって配置されていてもよい。
【００６０】
本実施形態では、銀色画像３１０及び他色画像３２０を転写ベルト３１から記録媒体Ｐに転写する場合には、前述のように、対向ロール３２Ｂを介して二次転写ロール３４に正極性の二次転写電圧（トナー極性と逆極性の電圧）が印加される。これにより、記録媒体Ｐと共に二次転写位置ＮＴを通過する銀色画像３１０及び他色画像３２０が、転写ベルト３１から記録媒体Ｐへ転写されるようになっている。
【００６１】
一方、銀色パッチ４１０及び他色パッチ４２０が二次転写位置ＮＴを通過する際には、転写ベルト３１上の銀色パッチ４１０及び他色パッチ４２０が転写ベルト３１に保持されるように、対向ロール３２Ｂを介して二次転写ロール３４に負極性の非転写電圧（トナー極性と同極性の電圧）が印加される。
【００６２】
これにより、転写ベルト３１上の銀色パッチ４１０及び他色パッチ４２０のトナーは、二次転写ベルト３６（二次転写ロール３４）から反発力を受けて、転写ベルト３１に保持される。転写ベルト３１に保持された銀色パッチ４１０及び他色パッチ４２０のトナーは、清掃装置３５へ搬送され、清掃装置３５によって転写ベルト３１から除去される。
【００６３】
ここで、二次転写ベルト３６と転写ベルト３１とは、予め定められた荷重にて接触しているため、銀色パッチ４１０及び他色パッチ４２０のそれぞれが転写ベルト３１の表面に形成された場合には、各色のトナーの一部は、静電的な反発力を受けても二次転写ベルト３６に転移されてしまう。また、銀色パッチ４１０及び他色パッチ４２０のトナーの一部が、正極性の電荷の注入を受けて正極性に帯電した状態で、二次転写位置ＮＴを通過した場合には、当該一部が静電的な吸引力を受けて二次転写ベルト３６に転移されてしまう。
【００６４】
トナーへの正極性の電荷の注入は、例えば、感光体ドラム２１から転写ベルト３１への転写の際に生じる放電などによって生じる。また、前述のように、電荷の注入は、銀色トナーにおいて生じやすく、銀色トナーが二次転写ベルト３６に転移されやすい傾向にある。
【００６５】
銀色パッチ４１０の銀色トナー及び他色パッチ４２０の他色トナーが二次転写ベルト３６に転移することで、銀色トナー及び他色トナーが二次転写ベルト３６（付着体の一例）の外周に付着するようになっている。当該銀色トナー及び他色トナーは、二次転写ベルト３６が周回することで、第１清掃ブラシ６１及び第２清掃ブラシ６２へ搬送されて、第１清掃ブラシ６１（除去部材の一例）及び第２清掃ブラシ６２（除去部材の一例）で除去される。具体的には、前述のように、第１給電部６５（印加部の一例）によって第１清掃ブラシ６１に正極性の清掃電圧が印加されることで、二次転写ベルト３６に転移されたトナーのうち、負極性のトナーが静電的に第１清掃ブラシ６１に吸着されて二次転写ベルト３６から除去される。また、第２給電部６６（印加部の一例）によって第２清掃ブラシ６２に負極性の清掃電圧が印加されることで、二次転写ベルト３６上のトナーのうち、正極性のトナーが静電的に第２清掃ブラシ６２に吸着されて二次転写ベルト３６から除去される。
【００６６】
ここで、図５及び図６には、第１清掃ブラシ６１及び第２清掃ブラシ６２に印加する電圧の絶対値と、二次転写ベルト３６に残留するトナーの残留量と、の関係がグラフにて示されている。図５は、第１清掃ブラシ６１及び第２清掃ブラシ６２の使用開始時における当該関係を示すグラフである。図６は、第１清掃ブラシ６１及び第２清掃ブラシ６２の使用が相当期間経過した後（例えば、トナー画像が転写された記録媒体Ｐの枚数が予め定められた枚数以上となった後）の当該関係を示すグラフである。
【００６７】
図５及び図６において、線Ａは銀色トナーを示し、線Ｂは他色トナーを示す。また、破線Ｃは、銀色トナーにおいて許容できる残留量を示し、太線Ｄは、他色トナーにおいて許容できる残留量を示す。
【００６８】
図５に示されるように、第１清掃ブラシ６１及び第２清掃ブラシ６２の使用開始時においては、例えば、電圧の絶対値がＶ１の範囲であれば、銀色トナー及び他色トナーの残留量は、許容範囲内となる。
【００６９】
しかしながら、第１清掃ブラシ６１及び第２清掃ブラシ６２の使用が相当期間経過した場合では、第１清掃ブラシ６１及び第２清掃ブラシ６２（又は二次転写ロール３４）が劣化し、電気抵抗が上昇してしまうため、電圧の絶対値を上昇させないと、他色トナーが許容範囲内まで除去できなくなる。図６に示されるように、電圧の絶対値がＶ２の範囲とした場合に、他色トナーの残留量が許容範囲内となる。一方、銀色トナーの残留量は、電圧の絶対値がＶ１の範囲において、許容範囲内となる。すなわち、絶対値が高い電圧(例えば、図６における電圧値Ｖ２）を用いた場合に、銀色トナーの残留量が増加する。このように、第１清掃ブラシ６１及び第２清掃ブラシ６２の使用が相当期間経過した後においては、銀色トナーを除去するのに適した電圧値と、他色トナーを除去するのに適した電圧値とが、異なる。
【００７０】
なお、絶対値が高い電圧(例えば、図６における電圧値Ｖ２）を用いた場合に銀色トナーの残留量が増加するのは、以下の現象が発生するためと推察される。すなわち、図７に示されるように、例えば、第１清掃ブラシ６１と二次転写ベルト３６との接触部分の上流側において、第１清掃ブラシ６１と二次転写ベルト３６との間で放電が生じ、当該放電によって正極性の電荷がトナーに注入されて正極性に帯電する現象が発生するためだと考えられる。トナーが正極性に帯電した場合には、第１清掃ブラシ６１から静電的な反発力を受けるため、トナーは第１清掃ブラシ６１に吸着されずに二次転写ベルト３６に残留する。
【００７１】
第２清掃ブラシ６２においても同様に、第２清掃ブラシ６２と二次転写ベルト３６との接触部分の上流側において、第２清掃ブラシ６２と二次転写ベルト３６との間で放電が生じ、当該放電によって負極性の電荷がトナーに注入されて負極性に帯電する現象が発生するためだと考えられる。トナーが負極性に帯電した場合には、第２清掃ブラシ６２から静電的な反発力を受けるため、第２清掃ブラシ６２に吸着されずに二次転写ベルト３６に残留する。
【００７２】
銀色トナーが二次転写ベルト３６に残留した場合には、当該銀色トナーは、二次転写ベルト３６の周回により二次転写位置ＮＴを通過する。このため、当該銀色トナーが、二次転写位置ＮＴを通過する記録媒体Ｐの裏面（二次転写ベルト３６側の面）に転移する場合がある。
【００７３】
しかしながら、記録媒体Ｐに銀色トナーが転移しても、銀色トナーの明度と、銀色トナーが転移する記録媒体Ｐの明度と、の関係によっては、目視にて銀色トナーが視認されにくい。具体的には、記録媒体Ｐの明度が銀色トナーの明度以上である場合（例えば、記録媒体Ｐが白色である場合）には、銀色トナーが視認されにくく、汚れとして認識されにくいものと考えられる。
【００７４】
そこで、本実施形態では、トナー画像（銀色画像３１０及び他色画像３２０）が転写された記録媒体Ｐ（画像形成を行った記録媒体Ｐ）の枚数が予め定められた枚数以上となった場合において、トナー画像が転写される記録媒体Ｐの明度によって、第１清掃ブラシ６１及び第２清掃ブラシ６２に印加する清掃電圧を切り替える切替モードを制御部７０が実行する。切替モードでは、第１給電部６５及び第２給電部６６が、以下の動作を行うように、制御部７０によって制御される。なお、予め定められた枚数とは、一例として、２０万枚（２００ｋｐｖ）である。
【００７５】
銀色トナーの明度（例えば、Ｌ＊（エルスター）６０）よりも低い明度を有する面が二次転写ベルト３６側に向けられた状態の記録媒体Ｐが二次転写位置ＮＴに導入される際に（図８及び図９参照）、第１給電部６５及び第２給電部６６が第１清掃ブラシ６１及び第２清掃ブラシ６２に第１電圧（図６のＶ１参照）を印加する。すなわち、銀色トナーが転移した場合に当該銀色トナーが視認されやすい（目立ちやすい）明度を有する記録媒体Ｐが二次転写位置ＮＴに導入される際には、二次転写ベルト３６から除去する除去対象を銀色トナーとし、この銀色トナーを除去すべく、銀色トナーの除去に適した第１電圧を清掃電圧として用いる。
【００７６】
なお、図８は、記録媒体Ｐとしての白色の用紙が二次転写位置ＮＴに導入される状態を示している。図９は、記録媒体Ｐとして、転写ベルト３１側が黒色とされ、二次転写ベルト３６側が白色とされた用紙が二次転写位置ＮＴに導入される状態を示している。
【００７７】
銀色トナーの明度以上の明度を有する面が二次転写ベルト３６側に向けられた状態の記録媒体Ｐが二次転写位置ＮＴに導入される際には（図１０及び図１１参照）、第１給電部６５及び第２給電部６６が第１清掃ブラシ６１及び第２清掃ブラシ６２に第２電圧（図６のＶ２参照）を印加する。すなわち、銀色トナーが転移しても当該銀色トナーが視認されにくい（目立ちにくい）明度を有する記録媒体Ｐが二次転写位置ＮＴに導入される際には、二次転写ベルト３６から除去する除去対象を他色トナーとし、この他色トナーを除去すべく、他色トナーの除去に適した第２電圧を清掃電圧として用いる。
【００７８】
具体的には、二次転写ベルト３６における銀色パッチ４１０及び他色パッチ４２０が付着した部位が、二次転写ベルト３６の周回により二次転写位置ＮＴに到達するタイミングで、二次転写位置ＮＴを通過する記録媒体Ｐにおける二次転写ベルト３６側の面の明度と、銀色トナーの明度と、の大小関係によって、印加する清掃電圧が決定される。
【００７９】
なお、図１０は、記録媒体Ｐとしての黒色の用紙が二次転写位置ＮＴに導入される状態を示している。図１１は、記録媒体Ｐとして、転写ベルト３１側が白色とされ、二次転写ベルト３６側が黒色とされた用紙が二次転写位置ＮＴに導入される状態を示している。
【００８０】
銀色トナーの明度は、例えば、画像密度（画像カバレッジ）１００％の単色画像パッチを記録媒体Ｐに形成し、この単色画像パッチを、測色計（例えば、Ｘ−Ｒｉｔｅ  ９３８（エックスライト株式会社製））を用いて予め測定することで得られる。記録媒体Ｐにおける二次転写ベルト３６側を向いた面の明度は、操作パネル等の操作部（ユーザインターフェイス）を通じて、入力された記録媒体Ｐ（用紙）の色から制御部７０において把握される。
【００８１】
記録媒体Ｐの表面と裏面とで色が異なる場合は、その各色が操作パネル等の操作部を通じて入力可能とされる。具体的には、例えば、収容器５１に収容した状態で下方を向く下面の色と、上方を向く上面の色とが、操作パネル等の操作部を通じて入力可能とされる。また、記録媒体Ｐの表面と裏面とで異なる色が入力された場合に、特定の色が上面（又は下面）となるように、収容器５１に収容するように、制御部７０が表示部を通じて操作者に指示してもよい。これにより、制御部７０において、収容器５１に収容した状態で上方を向く上面の色が把握される。収容器５１に収容した状態で上方を向く上面は、記録媒体Ｐが二次転写位置ＮＴに導入される際に二次転写ベルト３６側に向けられた面となるので、制御部７０において、記録媒体Ｐが二次転写位置ＮＴに導入される際に二次転写ベルト３６側に向けられた面の色が把握される。なお、制御部７０において、記録媒体Ｐが二次転写位置ＮＴに導入される際に二次転写ベルト３６側に向けられた面の色が把握されればよく、他の方法で当該面の色を把握してもよい。
【００８２】
なお、予め、操作部で入力される記録媒体Ｐの色と、使用する清掃電圧と、関連付けて設定しておいてもよい。具体的には、例えば、操作部を通じて、白色及びイエローの記録媒体Ｐが選択された場合に、第２電圧を使用し、白及びイエロー以外の色（例えば、黒色）の記録媒体Ｐが選択された場合には、第１電圧を使用するように、設定されていてもよい。
【００８３】
また、二次転写位置ＮＴに導入される際に二次転写ベルト３６側を向く面の明度を、検知部（センサ）によって、検知してもよい。検知部（センサ）は、例えば、収容器５１から二次転写位置ＮＴまでの搬送経路上に配置される。
【００８４】
この場合では、例えば、予め測定された既知の銀色トナーの明度（基準明度）と、検知部によって検知された記録媒体Ｐの明度と、を比較し、検知した明度が、基準明度よりも低い場合に、第１清掃ブラシ６１及び第２清掃ブラシ６２に第１電圧が印加する。また、検知した明度が、基準明度以上である場合に、第１清掃ブラシ６１及び第２清掃ブラシ６２に第２電圧を印加する。
【００８５】
また、ジョブごとに記録媒体Ｐを同一色の用紙を用いる場合では、ジョブごとに、使用する清掃電圧を決定してもよい。ジョブとは、制御部７０が画像形成指令を受けて処理（実行）する画像形成動作の処理単位をいう。
【００８６】
なお、トナー画像が転写された記録媒体Ｐ（画像形成を行った記録媒体Ｐ）の枚数が予め定められた枚数未満である場合には、トナー画像が転写される記録媒体Ｐの明度に関わらず、第１清掃ブラシ６１及び第２清掃ブラシ６２に第１電圧が印加されるように、第１給電部６５及び第２給電部６６が、制御部７０によって制御される。
【００８７】
（本実施形態に係る作用）
次に、本実施形態に係る作用を説明する。
【００８８】
画像形成指令（プリント指令）を制御部７０が受けると、制御部７０は、銀色のトナー画像形成部２０Ｗ、他色のトナー画像形成部２０Ｙ〜２０Ｋ、転写装置３０及び定着装置４０を作動させる（図１参照）。
【００８９】
これにより、トナー画像形成部２０Ｗ、トナー画像形成部２０Ｙ〜２０Ｋでは、以下の画像形成工程（プロセス）にて、銀色画像３１０（図４参照）及び銀色パッチ４１０（図４参照）と、他色画像３２０（図４参照）及び他色パッチ４２０（図４参照）と、がそれぞれ形成される。すなわち、各色の感光体ドラム２１は、回転されながら帯電器２２によって帯電される。帯電された各感光体ドラム２１が各露光装置２３によって露光されて、各感光体ドラム２１の表面に静電潜像が形成される。各感光体ドラム２１に形成された静電潜像は、現像装置２４から供給される現像剤によって現像される。これにより、他色用の感光体ドラム２１Ｙ〜２１Ｋと銀色用の感光体ドラム２１Ｗとには、イエロー（Ｙ）、マゼンタ（Ｍ）、シアン（Ｃ）、ブラック（Ｋ）の他色画像３２０及び他色パッチ４２０と、銀色画像３１０（図４参照）及び銀色パッチ４１０と、がそれぞれ形成される。
【００９０】
各感光体ドラム２１に形成された各色の他色画像３２０及び銀色画像３１０は、図４に示されるように、各一次転写ロール３３によって、周回する転写ベルト３１の転写領域Ｒ１に順次転写される。また、各感光体ドラム２１に形成された各色の他色パッチ４２０及び銀色パッチ４１０は、各一次転写ロール３３によって、周回する転写ベルト３１の非転写領域Ｒ２に順次転写される。転写ベルト３１に転写された他色パッチ４２０、銀色パッチ４１０、他色画像３２０及び銀色画像３１０が、転写ベルト３１の周回によって二次転写位置ＮＴに搬送される。
【００９１】
この二次転写位置ＮＴには、搬送ロール５２によって、他色画像３２０及び銀色画像３１０の搬送にタイミングを合わせて、記録媒体Ｐが供給される。この二次転写位置ＮＴを記録媒体Ｐ、他色画像３２０及び銀色画像３１０（転写領域Ｒ１）が通過する際に、対向ロール３２Ｂを介して二次転写ロール３４に二次転写電圧（正極性の電圧）が印加される。これにより、転写ベルト３１から他色画像３２０及び銀色画像３１０が記録媒体Ｐに転写される。
【００９２】
他色画像３２０及び銀色画像３１０が転写された記録媒体Ｐは、搬送ベルト５８によって、二次転写位置ＮＴから定着装置４０へ搬送され、定着装置４０において、記録媒体Ｐ上の他色画像３２０及び銀色画像３１０が記録媒体Ｐに定着される。
【００９３】
二次転写位置ＮＴを記録媒体Ｐが通過せずに、銀色パッチ４１０及び他色パッチ４２０が通過する際には、対向ロール３２Ｂを介して二次転写ロール３４に非転写電圧（負極性の電圧）が印加される。これにより、転写ベルト３１上の銀色パッチ４１０及び他色パッチ４２０は、二次転写ロール３４（二次転写ベルト３６）から反発力を受けて、転写ベルト３１に保持される。これにより、他色パッチ４２０の他色トナーは、転写ベルト３１に保持されたまま、二次転写位置ＮＴを通過して清掃装置３５へ搬送され、清掃装置３５によって転写ベルト３１から除去される。
【００９４】
このように非転写電圧が印加されるものの、二次転写ベルト３６と転写ベルト３１とは、予め定められた荷重にて接触しているため、銀色パッチ４１０及び他色パッチ４２０のトナーの一部は、静電的な反発力を受けても二次転写ベルト３６に転移される。また、銀色パッチ４１０及び他色パッチ４２０のトナーの一部が、正極性の電荷の注入を受けて正極性に帯電した状態で、二次転写位置ＮＴを通過した場合には、当該一部が静電的な吸引力を受けて二次転写ベルト３６に転移される。
【００９５】
銀色パッチ４１０の銀色トナー及び他色パッチ４２０の他色トナーが、転写ベルト３１から二次転写ベルト３６へ転移した場合には、二次転写ベルト３６に銀色トナー及び他色トナーが付着される。二次転写ベルト３６に付着された銀色トナー及び他色トナーは、二次転写ベルト３６が周回することで、第１清掃ブラシ６１及び第２清掃ブラシ６２へ搬送される。
【００９６】
本実施形態では、トナー画像が転写された記録媒体Ｐ（画像形成を行った記録媒体Ｐ）の枚数が予め定められた枚数未満である場合において、トナー画像が転写される記録媒体Ｐの明度に関わらず、第１給電部６５が第１清掃ブラシ６１に正極性の第１電圧（図５のＶ１参照）を印加する。これにより、二次転写ベルト３６上の銀色トナー及び他色トナーのうち、負極性に帯電したトナーが静電的に第１清掃ブラシ６１に吸着されて除去される。また、第２給電部６６が、第２清掃ブラシ６２に負極性の第１電圧（図５のＶ１参照）を印加する。これにより、二次転写ベルト３６上の銀色トナー及び他色トナーのうち、正極性に帯電したトナーが静電的に第２清掃ブラシ６２に吸着されて除去される。
【００９７】
一方、トナー画像が転写された記録媒体Ｐ（画像形成を行った記録媒体Ｐ）の枚数が予め定められた枚数以上である場合においては、図６に示されるように、銀色トナーを除去するのに適した電圧値と、他色トナーを除去するのに適した電圧値とが、異なるので、以下のように、制御部７０によって、前述の切替モードが実行される。
【００９８】
すなわち、銀色トナーの明度よりも低い明度を有する面が二次転写ベルト３６側に向けられた状態の記録媒体Ｐが二次転写位置ＮＴに導入される際に、第１給電部６５が第１清掃ブラシ６１に正極性の第１電圧（図６のＶ１参照）を印加する。これにより、二次転写ベルト３６上の銀色トナーのうち、負極性に帯電したトナーが静電的に第１清掃ブラシ６１に吸着されて除去される。
【００９９】
また、銀色トナーの明度よりも低い明度を有する面が二次転写ベルト３６側に向けられた状態の記録媒体Ｐが二次転写位置ＮＴに導入される際に、第２給電部６６が、第２清掃ブラシ６２に負極性の第１電圧（図６のＶ１参照）を印加する。これにより、二次転写ベルト３６上の銀色トナーのうち、正極性に帯電したトナーが静電的に第２清掃ブラシ６２に吸着されて除去される。
【０１００】
このように、銀色トナーが転移した場合に当該銀色トナーが視認されやすい（目立ちやすい）明度を有する記録媒体Ｐが二次転写位置ＮＴに導入される際には、二次転写ベルト３６から除去する除去対象を銀色トナーとし、この銀色トナーを除去すべく、銀色トナーの除去に適した第１電圧が用いられる。そして、銀色トナーが二次転写ベルト３６から除去されることで、銀色トナーが二次転写ベルト３６に残留することが抑制される。これにより、記録媒体Ｐの明度に関わらず第２電圧を第１清掃ブラシ６１及び第２清掃ブラシ６２に印加する構成に比べ、二次転写位置ＮＴを通過する記録媒体Ｐの裏面（二次転写ベルト３６側の面）に、銀色トナーが転移することが抑制される。
【０１０１】
なお、第１電圧を第１清掃ブラシ６１及び第２清掃ブラシ６２に印加することで他色トナーも除去されるが、第１電圧は、銀色トナーの除去に適した電圧であるため、他色トナーは、二次転写ベルト３６に残留しやすい。しかしながら、二次転写ベルト３６に残留した他色トナーが、二次転写位置ＮＴを通過する記録媒体Ｐの裏面（二次転写ベルト３６側の面）に転移しても、他色トナーは、銀色トナーよりも明度が低い色（マゼンタ（Ｍ）、シアン（Ｃ）、及びブラック（Ｋ））のトナーを含むため、銀色トナーが記録媒体Ｐに転移する場合に比べ、視認されにくい。従って、他色トナーが記録媒体Ｐの裏面に転移しても、裏面の汚れとして認識されにくい。
【０１０２】
一方、銀色トナーの明度以上の明度を有する面が二次転写ベルト３６側に向けられた状態の記録媒体Ｐが二次転写位置ＮＴに導入される際には、第１給電部６５が、第１清掃ブラシ６１に正極性の第２電圧（図６のＶ２参照）を印加する。これにより、二次転写ベルト３６上の他色トナーのうち、負極性に帯電したトナーが静電的に第１清掃ブラシ６１に吸着されて除去される。
【０１０３】
また、銀色トナーの明度以上の明度を有する面が二次転写ベルト３６側に向けられた状態の記録媒体Ｐが二次転写位置ＮＴに導入される際には、第２給電部６６が、第２清掃ブラシ６２に負極性の第２電圧（図６のＶ２参照）を印加する。これにより、二次転写ベルト３６上の他色トナーのうち、正極性に帯電したトナーが静電的に第２清掃ブラシ６２に吸着されて除去される。
【０１０４】
このように、銀色トナーが転移しても当該銀色トナーが視認されにくい（目立ちにくい）明度を有する記録媒体Ｐが二次転写位置ＮＴに導入される際には、二次転写ベルト３６から除去する除去対象を他色トナーとし、この他色トナーを除去すべく、他色トナーの除去に適した第２電圧が用いられる。そして、他色トナーが二次転写ベルト３６から除去されることで、他色トナーが二次転写ベルト３６に残留することが抑制される。これにより、記録媒体Ｐの明度に関わらず第１電圧を第１清掃ブラシ６１及び第２清掃ブラシ６２に印加する構成に比べ、二次転写位置ＮＴを通過する記録媒体Ｐの裏面（二次転写ベルト３６側の面）に、他色トナーが転移することが抑制される。
【０１０５】
本実施形態では、銀色トナーが転移しても当該銀色トナーが視認されにくい（目立ちにくい）明度を有する記録媒体Ｐの裏面に、銀色トナーが転移することを許容する。すなわち、二次転写ベルト３６に残留した銀色トナーが、二次転写位置ＮＴを通過する記録媒体Ｐの裏面（二次転写ベルト３６側の面）に転移しても、他色トナーが記録媒体Ｐへ転移する場合に比べて視認されにくく、裏面の汚れとして認識されにくい。
【０１０６】
以上のように、本実施形態では、二次転写ベルト３６から除去する除去対象とするトナーが金属顔料を含むか含まないかによって、第１清掃ブラシ６１及び第２清掃ブラシ６２に印加する電圧を変える。従って、除去対象のトナーが金属顔料を含むか含まないかに関わらず単一の電圧を第１清掃ブラシ６１及び第２清掃ブラシ６２に印加する構成に比べ、トナー画像が転写された記録媒体Ｐ（画像形成を行った記録媒体Ｐ）の枚数が予め定められた枚数以上となって劣化することで第１清掃ブラシ６１及び第２清掃ブラシ６２（又は二次転写ロール３４）の抵抗上昇した場合でも、銀色トナーと他色トナーとが効率よく除去される。
【０１０７】
なお、例えば、記録媒体Ｐが表面と裏面とで色が異なることにより、記録媒体Ｐの一方の面の明度が銀色トナーよりも低く、他方の面の明度が銀色トナーの明度以上である場合では、二次転写位置ＮＴを通過する際に二次転写ベルト３６側を向く面の明度によって、第１給電部６５及び第２給電部６６の印加電圧が決定される。
【０１０８】
従って、記録媒体Ｐの一方の面の明度が銀色トナーの明度よりも低く、他方の面の明度が銀色トナーの明度以上である場合において、記録媒体Ｐの両面に画像を形成する場合では、第１給電部６５及び第２給電部６６の印加電圧が、第１電圧と第２電圧とに画像形成面（印刷面）ごとに切り替えられる。
【０１０９】
＜第１変形例＞
上記の実施形態では、切替モードにおいて、記録媒体Ｐの明度によって、第１給電部６５及び第２給電部６６に印加する清掃電圧を決定していたが、記録媒体Ｐに形成された画像の明度によって第１給電部６５及び第２給電部６６に印加する清掃電圧を決定してもよい。具体的には、以下のように構成される。
【０１１０】
記録媒体Ｐの両面に画像を形成する場合では、片面に画像が形成された記録媒体Ｐが二次転写位置ＮＴを通過する際に、最初に画像が形成された記録媒体Ｐの表面が、二次転写ベルト３６側を向く面となるため、当該面の画像の明度と銀色トナーの明度との関係によって、第１給電部６５及び第２給電部６６の清掃電圧を決定する。
【０１１１】
すなわち、当該表面の画像の明度が、銀色トナーの明度よりも低い場合には、第１給電部６５及び第２給電部６６は、それぞれ、第１清掃ブラシ６１、第２清掃ブラシ６２に第１電圧を印加する。
【０１１２】
これにより、二次転写ベルト３６上の銀色トナーのうち、負極性に帯電したトナーが静電的に第１清掃ブラシ６１に吸着されて除去される。また、二次転写ベルト３６上の銀色トナーのうち、負極性に帯電したトナーが静電的に第１清掃ブラシ６１に吸着されて除去される。
【０１１３】
このように、銀色トナーが二次転写ベルト３６から除去されることで、銀色トナーが二次転写ベルト３６に残留することが抑制される。これにより、銀色トナーが、二次転写位置ＮＴを通過する記録媒体Ｐの裏面（二次転写ベルト３６側の面）の画像に転移することが抑制される。
【０１１４】
すなわち、本実施形態では、銀色トナーが記録媒体Ｐの画像上に転移した場合に銀色トナーが画像上で目立ちやすい明度を当該画像が有する場合に、銀色トナーの画像への転移を抑制する。
【０１１５】
一方、記録媒体Ｐの表面の画像の明度が、銀色トナーの明度以上である場合には、第１給電部６５及び第２給電部６６は、それぞれ、第１清掃ブラシ６１、第２清掃ブラシ６２に第２電圧を印加する。
【０１１６】
これにより、二次転写ベルト３６上の他色トナーのうち、負極性に帯電したトナーが静電的に第１清掃ブラシ６１に吸着されて除去される。また、二次転写ベルト３６上の他色トナーのうち、正極性に帯電したトナーが静電的に第２清掃ブラシ６２に吸着されて除去される。
【０１１７】
このように、他色トナーが二次転写ベルト３６から除去されることで、他色トナーが二次転写ベルト３６に残留することが抑制される。これにより、他色トナーが、二次転写位置ＮＴを通過する記録媒体Ｐの裏面（二次転写ベルト３６側の面）の画像に転移することが抑制される。
【０１１８】
すなわち、本実施形態では、銀色トナーが記録媒体Ｐの画像上に転移した場合に銀色トナーが画像上で目立ちにくい明度を当該画像が有する場合には、銀色トナーの当該画像への転移を許容する。二次転写ベルト３６に残留した銀色トナーが、二次転写位置ＮＴを通過する記録媒体Ｐの裏面（二次転写ベルト３６側の面）の画像に転移しても、他色トナーが当該画像へ転移する場合に比べ、視認されにくい。従って、銀色トナーが記録媒体Ｐの裏面に転移しても、裏面の汚れとして認識されにくい。
【０１１９】
なお、画像の明度は、具体的には、例えば、画像データにおける各色の画像密度（画像カバレッジ）から求められる。なお、この場合では、各色の画像密度（濃度）に応じた明度が、測定等により、既知となっていることを前提とする。例えば、全面ハーフトーン画像において、ブラック（Ｋ）又は、スリーカラーブラック（イエロー（Ｙ）マゼンタ（Ｍ）、シアン（Ｃ）によるブラック）の画像密度が１０％以上となる場合を、銀色トナーの明度よりも明度が低いものとして処理を行う。
【０１２０】
また、画像の明度は、検知部（センサ）によって、検知してもよい。検知部（センサ）は、例えば、片面にトナー画像が定着された記録媒体Ｐを反転させて、再び二次転写位置ＮＴへ送り戻すための搬送路５９上に配置される。また、検知部（センサ）は、記録媒体Ｐの幅方向に沿って複数配置し、記録媒体Ｐの搬送方向の複数の箇所を検知してもよい。
【０１２１】
＜他の変形例＞
上記の実施形態では、金属顔料を含むトナーとして、銀色トナーを用いたが、これに限られず、例えば、金色のトナーを用いてもよい。金色のトナーは、例えば、金属顔料とイエロー色の顔料とバインダー樹脂とを含んで構成されている。この構成では、切替モードにおいて、金色のトナーの明度（例えば、Ｌ＊５０）を基準として、第１清掃ブラシ６１及び第２清掃ブラシ６２に印加される清掃電圧が、第１電圧と第２電圧とに切り替えられる。
【０１２２】
また、トナー画像形成部２０Ｖ、２０Ｗとして、銀色トナー、金色のトナーを用いてもよい。この場合では、銀色トナーの明度（例えば、Ｌ＊６０）又は金色のトナーの明度（例えば、Ｌ＊５０）を基準として、第１清掃ブラシ６１及び第２清掃ブラシ６２に印加される清掃電圧が、第１電圧と第２電圧とに切り替えられる。また、銀色トナーの明度（例えば、Ｌ＊６０）と金色のトナーの明度（例えば、Ｌ＊５０）との間の値を基準として、第１清掃ブラシ６１及び第２清掃ブラシ６２に印加される清掃電圧が、第１電圧と第２電圧とに切り替えてもよい。
【０１２３】
上記の実施形態では、トナー画像が転写された記録媒体Ｐ（画像形成を行った記録媒体Ｐ）の枚数が予め定められた枚数以上である場合に、トナー画像が転写される記録媒体Ｐの明度によって、使用する清掃電圧を決定していたが、これに限られない。他の条件に基づいて、使用する清掃電圧を決定してもよく、二次転写ベルト３６から除去する除去対象が銀色トナーである場合に第１電圧を使用し、二次転写ベルト３６から除去する除去対象が他色トナーである場合に第２電圧を使用するようになっていればよい。
【０１２４】
上記の実施形態では、トナー画像が転写された記録媒体Ｐ（画像形成を行った記録媒体Ｐ）の枚数が予め定められた枚数以上である場合に、トナー画像が転写される記録媒体Ｐの明度によって、第１清掃ブラシ６１及び第２清掃ブラシ６２の清掃電圧を切り替える構成となっていたが、これに限られない。トナー画像が転写された記録媒体Ｐの枚数が予め定められた枚数未満である場合において、銀色トナーを除去するのに適した電圧値と、他色トナーを除去するのに適した電圧値とが、異なる場合では、トナー画像が転写された記録媒体Ｐの枚数に関わらず、第１清掃ブラシ６１及び第２清掃ブラシ６２の清掃電圧を切り替えてもよい。トナー画像が転写された記録媒体Ｐの枚数が予め定められた枚数未満である場合において、銀色トナーを除去するのに適した電圧値と、他色トナーを除去するのに適した電圧値とが、異なる場合としては、第１清掃ブラシ６１及び第２清掃ブラシ６２（又は二次転写ロール３４）に抵抗が高い部材を用いた場合や、許容されるトナー残留量が少ない場合等が挙げられる。
【０１２５】
上記の実施形態では、静電力によりトナーを除去する除去部材として、清掃ブラシを用いたが、これに限られない。例えば、清掃ロールでもよく、静電力によりトナー除去する部材であればよい。
【０１２６】
上記の実施形態では、第１清掃ブラシ６１及び第２清掃ブラシ６２の両方が設けられていたが、第１清掃ブラシ６１及び第２清掃ブラシ６２の一方のみが設けられる構成であってもよい。
【０１２７】
上記の実施形態では、付着体の一例として、二次転写ベルト３６を用いた例について説明したが、これに限られない。付着体の一例としては、二次転写ロール、中間転写体（転写ベルト３１、転写ドラム）などであってもよい。
【０１２８】
本発明は、上記の実施形態に限るものではなく、その主旨を逸脱しない範囲内において種々の変形、変更、改良が可能である。例えば、上記に示した変形例は、適宜、複数を組み合わせて構成しても良い。
【符号の説明】
【０１２９】
１０   画像形成装置
３１   転写ベルト（転写体の一例）
３６   二次転写ベルト（付着体の一例）
６１   第１清掃ブラシ（除去部材の一例）
６２   第２清掃ブラシ（除去部材の一例）
６５   第１給電部（印加部の一例）
６６   第２給電部（印加部の一例）
【図１】
0006459332.tif 000002
【図２】
0006459332.tif 000003
【図３】
0006459332.tif 000004
【図４】
0006459332.tif 000005
【図５】
0006459332.tif 000006
【図６】
0006459332.tif 000007
【図７】
0006459332.tif 000008
【図８】
0006459332.tif 000009
【図９】
0006459332.tif 000010
【図１０】
0006459332.tif 000011
【図１１】
0006459332.tif 000012